【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、１以上のレンズ群を含む後群を有し、
広角端に比べて望遠端において、前記第１レンズ群と前記第２レンズ群の間隔が広がり、前記第２レンズ群と前記第３レンズ群との間隔が狭まり、ズーミングに際して隣り合うレンズ群の間隔が変化するズームレンズであって、
前記第１レンズ群は、該第１レンズ群の中で最も広い間隔を空けて物体側より像側へ順に配置された、正の屈折力の第１ａ部分レンズ群と負の屈折力の第１ｂ部分レンズ群からなり、
望遠端における全系の焦点距離をｆｔ、前記第１ａ部分レンズ群の焦点距離をｆ１ａ、前記第１ｂ部分レンズ群の横倍率をβ１ｂ、望遠端における第２レンズ群の横倍率をβ２ｔとするとき、
０．１０＜ｆ１ａ／ｆｔ＜０．６０
−０．７０＜β１ｂ／β２ｔ＜−０．２０
なる条件式を満足することを特徴とするズームレンズ。
【請求項２】
前記第２レンズ群と前記第３レンズ群の間、又は前記第３レンズ群内に開口絞りが配置されており、ズーミングに際して前記第１レンズ群と前記開口絞りと前記第３レンズ群は不動であることを特徴とする請求項１に記載のズームレンズ。
【請求項３】
前記第１レンズ群は、２枚以上の正レンズと１枚以上の負レンズを有することを特徴とする請求項１又は２に記載のズームレンズ。
【請求項４】
前記第２レンズ群は、１枚以上の正レンズと２枚以上の負レンズを有することを特徴とする請求項１乃至３のいずれか１項に記載のズームレンズ。
【請求項５】
前記第３レンズ群は、１枚以上の正レンズと１枚以上の負レンズを有し、前記第３レンズ群に含まれる正レンズのうち少なくとも一つは、非球面を備えることを特徴とする請求項１乃至４のいずれか１項に記載のズームレンズ。
【請求項６】
前記第１ａ部分レンズ群の焦点距離をｆ１ａ、前記第２レンズ群の焦点距離をｆ２とするとき、
−１０．０＜ｆ１ａ／ｆ２＜−２．０
なる条件式を満足することを特徴とする請求項１乃至５のいずれか１項に記載のズームレンズ。
【請求項７】
前記第１レンズ群の焦点距離をｆ１、前記第２レンズ群の焦点距離をｆ２とするとき、
−２０．０＜ｆ１／ｆ２＜−５．０
なる条件式を満足することを特徴とする請求項１乃至６のいずれか１項に記載のズームレンズ。
【請求項８】
前記第２レンズ群の焦点距離をｆ２、広角端における全系の焦点距離をｆｗとするとき、
−０．８０＜ｆ２／ｆｗ＜−０．３０
なる条件式を満足することを特徴とする請求項１乃至７のいずれか１項に記載のズームレンズ。
【請求項９】
前記第１ａ部分レンズ群と前記第１ｂ部分レンズ群との間隔をＬａｂとするとき、
０．０３＜Ｌａｂ／ｆ１ａ＜１．００
なる条件式を満足することを特徴とする請求項１乃至８のいずれか１項に記載のズームレンズ。
【請求項１０】
前記第２レンズ群の焦点距離をｆ２、前記第１ａ部分レンズ群と前記第１ｂ部分レンズ群との間隔をＬａｂとするとき、
−５．０＜Ｌａｂ／ｆ２＜−０．１
なる条件式を満足することを特徴とする請求項１乃至９のいずれか１項に記載のズームレンズ。
【請求項１１】
前記後群は、物体側より像側へ順に配置された、負の屈折力の第４レンズ群と正の屈折力の第５レンズ群より構成されることを特徴とする請求項１乃至１０のいずれか１項に記載のズームレンズ。
【請求項１２】
広角端から望遠端へのズーミングに際して、前記第２レンズ群は像側へ移動し、前記第４レンズ群は像側へ移動した後に物体側へ移動することを特徴とする請求項１１に記載のズームレンズ。
【請求項１３】
無限遠から近距離へのフォーカシングに際して、前記第４レンズ群は像側へ移動することを特徴とする請求項１１又は１２に記載のズームレンズ。
【請求項１４】
前記後群は、正の屈折力の第４レンズ群より構成されることを特徴とする請求項１乃至１０のいずれか１項に記載のズームレンズ。
【請求項１５】
広角端から望遠端へのズーミングに際して、前記第２レンズ群は像側へ移動し、前記第４レンズ群は物体側へ移動した後に像側へ移動することを特徴とする請求項１４に記載のズームレンズ。
【請求項１６】
無限遠から近距離へのフォーカシングに際して、前記第４レンズ群は物体側へ移動することを特徴とする請求項１４又は１５に記載のズームレンズ。
【請求項１７】
請求項１乃至１６のいずれか１項に記載のズームレンズと、該ズームレンズによって形成される像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側より像側へ順に配置された、正の屈折力の第１レンズ群、負の屈折力の第２レンズ群、正の屈折力の第３レンズ群、１以上のレンズ群を含む後群を有し、
広角端に比べて望遠端において、前記第１レンズ群と前記第２レンズ群の間隔が広がり、前記第２レンズ群と前記第３レンズ群との間隔が狭まり、ズーミングに際して隣り合うレンズ群の間隔が変化するズームレンズであって、
前記第１レンズ群は、該第１レンズ群の中で最も広い間隔を空けて物体側より像側へ順に配置された、正の屈折力の第１ａ部分レンズ群と負の屈折力の第１ｂ部分レンズ群からなり、
望遠端における全系の焦点距離をｆｔ、前記第１ａ部分レンズ群の焦点距離をｆ１ａ、前記第１ｂ部分レンズ群の横倍率をβ１ｂ、望遠端における第２レンズ群の横倍率をβ２ｔとするとき、
０．１０＜ｆ１ａ／ｆｔ＜０．６０
−０．７０＜β１ｂ／β２ｔ＜−０．２０
なる条件式を満足することを特徴としている。
【手続補正３】
【補正対象書類名】明細書
【補正対象項目名】００１２
【補正方法】変更
【補正の内容】
【００１２】
以下、本発明のズームレンズ及びそれを有する撮像装置を図面に基づいて説明する。本発明のズームレンズは、物体側から像側へ順に配置された、正の屈折力（光学的パワー＝焦点距離の逆数）の第１レンズ群、負の屈折力の第２レンズ群、正の屈折力の第３レンズ群と、１つ以上のレンズ群を有する後群より構成している。
【手続補正４】
【補正対象書類名】明細書
【補正対象項目名】００２６
【補正方法】変更
【補正の内容】
【００２６】
実施例１乃至７において、Ｌ１は正の屈折力の第１レンズ群、Ｌ２は負の屈折力の第２レンズ群、Ｌ３は正の屈折力の第３レンズ群である。後群ＬＲは物体側から像側へ順に配置された、負の屈折力の第４レンズ群Ｌ４と正の屈折力の第５レンズ群Ｌ５より構成されている。開口絞りＳＰは第３レンズ群Ｌ３の物体側に位置している。広角端から望遠端へのズーミングに際して、第２レンズ群Ｌ２は像側に移動する。第４レンズ群Ｌ４は像側に凸状の軌跡で移動する。即ち像側へ移動した後に物体側へ移動する。
【手続補正５】
【補正対象書類名】明細書
【補正対象項目名】００２９
【補正方法】変更
【補正の内容】
【００２９】
実施例８において、Ｌ１は正の屈折力を有する第１レンズ群、Ｌ２は負の屈折力を有する第２レンズ群、Ｌ３は正の屈折力を有する第３レンズ群である。後群ＬＲは正の屈折力の第４レンズ群Ｌ４より構成されている。実施例８において、広角端から望遠端へのズーミングに際して、第２レンズ群Ｌ２は像側へ移動する。第４レンズ群Ｌ４は物体側に凸状の軌跡で移動する。即ち物体側へ移動した後に像側へ移動する。開口絞りＳＰはズーミングに際して第３レンズ群Ｌ３と一体的（同じ軌跡で）移動する。